(57)【要約】【課題】生産ラインにおける搬送時や保管時に表面にキズが生じることを防止することができる遊技機における遊技盤を提供すること。【解決手段】遊技機に搭載される所定形状の平坦な合成樹脂製の遊技盤において、遊技盤１の表面部２及び裏面部３から突出する所定高さのリブ形状の損傷防止片４を、遊技盤１の外周縁部１ａに沿うように設け若しくは外周縁部１ａの所定箇所に設ける。【選択図】図１
2007307021.tif 000002
【特許請求の範囲】
【請求項１】
遊技機に搭載される所定形状の平坦な合成樹脂製の遊技盤において、
前記遊技盤の表面部及び裏面部から突出する所定高さのリブ形状の損傷防止片を、当該遊技盤の外周縁部に沿うように設けたことを特徴とする遊技機における遊技盤。
【請求項２】
前記損傷防止片が前記外周縁部の所定箇所に設けられていることを特徴とする請求項１に記載の遊技機における遊技盤。
【請求項３】
前記遊技盤が透光性を有する請求項１又は２に記載の遊技機における遊技盤。
【発明の詳細な説明】
【技術分野】
【０００１】
本発明は、パチンコ機、パチスロ機等の遊技機における合成樹脂製遊技盤に関する。
【背景技術】
【０００２】
遊技機としての代表的なパチンコ機における遊技盤は、誘導レール、誘導釘、各種入賞口、図柄表示装置等が設置された状態にて外枠に開閉可能に設けられた内枠に取り付けられる物品である。遊技盤としては、ベニヤ合板の表面に装飾シートを貼着したものが一般的に使用されている。材料として木材が使用されているのは、入賞口等を取付けるために穴加工や誘導釘の打ち込み作業が容易であり、強度・耐久性に優れていることによる。
【０００３】
他方、合板製の遊技盤は重いこと、湿気による反りやねじれが生じ易い、資源への配慮等の観点から、合成樹脂製の遊技盤が提案されている。特開平１０−１１３４２８号公報には、表面が平坦な板状で中央部を厚肉状に形成し、その厚肉状部分の周辺を薄肉に形成すると共に外周縁の裏面側に周壁を立設した遊技盤の表面に、シート状装飾部材を接着剤によって貼着した遊技機用遊技盤の構造が開示されている。
【０００４】
特開２００２−１７９８２号公報には、表層の透明フィルムと、その透明フィルムの背面に設けられた装飾用印刷層と、印刷層の背後に設けられ透過する光をランダムに拡散させる乱拡散層とを備えた装飾シートが、透光性の合成樹脂製基板の表面に接着剤によって貼着された遊技盤の構造が開示されている。
【０００５】
ところで、パチンコ機の生産ラインにおいて、合板製遊技盤はベルトコンベアやローラコンベア装置により各工程に搬送される。そこで、合成樹脂製遊技盤を既存の生産ラインに投入するとすれば、ベルトやローラとの接触により当該遊技盤の平坦な表面に細かいキズがついてしまうことがあり、キズの付いた遊技盤は商品価値が損なわれることになる。勿論、従来の合板製遊技盤の場合にも傷がつくことがあるが、合成樹脂製遊技盤の場合に比べてキズが目立ちにくく問題となりにくい。現在、装飾シートが貼着される前の半加工品の合板製遊技盤を倉庫に保管する場合には、当該遊技盤を幾枚も積み重ねられている。同様の方法により合成樹脂製遊技盤を保管するとすれば、遊技盤同士がこすれることによりキズが付いてしまうことになる。
【０００６】
昨今の遊技機にあっては「全面液晶」と呼ばれるタイプの遊技機がある。この遊技機は透明アクリル樹脂により成形された遊技盤の背後に、当該遊技盤と同サイズの液晶表示器を配置し、遊技盤全体を使って図柄変動表示を行なうものである。
このタイプの遊技機において、ホールに出荷された時点でアクリル樹脂にキズがついてしまうと商品の品質に問題が生じる。このため、遊技盤に傷がない状態で出荷したいという要望があった。
このような事情から、合成樹脂製遊技盤については、外枠に組み付ける前に表面にキズが付かないような何らかの対策を講じる必要性に迫られている。
【特許文献１】特開平１０−１１３４２８号公報
【特許文献２】特開２００２−１７９８２号公報
【発明の開示】
【発明が解決しようとする課題】
【０００７】
本発明の目的は、生産ラインにおける搬送時や保管時に表面にキズが生じることを防止することができる遊技機における遊技盤を提供することにある。
【課題を解決するための手段】
【０００８】
前記目的を達成するために請求項１に記載した発明は、遊技機に搭載される所定形状の平坦な合成樹脂製の遊技盤において、前記遊技盤の表面部及び裏面部から突出する所定高さのリブ形状の損傷防止片を、当該遊技盤の外周縁部に設けたことを特徴とする。
【０００９】
同様の目的を達成するために請求項２に記載した発明は、請求項１に記載の遊技機における遊技盤において、前記損傷防止片が前記外周縁部の所定箇所に設けられていることを特徴とするものである。
【００１０】
同様の目的を達成するために請求項３に記載した発明は、請求項１又は２に記載の遊技機における遊技盤において、前記遊技盤が透光性を有するものである。
【発明の効果】
【００１１】
（請求項１の発明）
この遊技機における遊技盤は、表面部及び裏面部にリブ形状の損傷防止片を設けているので、遊技盤を倉庫等に保管するときに遊技盤同士のこすれによる表面のキズの発生を防止することができる。さらに、生産ラインにおけるベルトコンベア装置等による搬送時にベルトとの接触による表面のキズの発生を防止することができる。加えて、合板製遊技盤に使用されている既存設備ラインを変更又は改良することなくそのまま利用することができるという副次的効果をも有する。
【００１２】
（請求項２の発明）
この遊技機における遊技盤は、損傷防止片を表面部及び裏面部の外周縁部の所定箇所に設けているので、遊技盤を倉庫等に保管するときに遊技盤同士のこすれによる表面のキズの発生を防止することができる。また、生産ラインにおけるベルトコンベア装置等による搬送時にベルトとの接触による表面のキズの発生を防止することができる。
【００１３】
（請求項３の発明）
この遊技機における遊技盤は、透光性を有するので、遊技盤の背後から光を照射することによりその光を正面に位置する遊技者側に届くようにする電飾装置を設ける場合に好適である。
【発明を実施するための最良の形態】
【００１４】
以下に、本発明の最良の形態例を図面に基づいて説明する。図１は本発明にかかる遊技盤の正面図、図２は遊技盤の側面図、図３は遊技盤の背面図、図４はローラコンベア装置による遊技盤の搬送状態を示す説明図（イ）〜（ハ）、図５は本発明にかかる遊技盤を適用したパチンコ機（前扉を省略）の正面図である。
【００１５】
本発明にかかるパチンコ機における遊技盤１を図１、図２に示す。この合成樹脂製遊技盤１は、透光性を有するアクリル樹脂等によりやや縦長の四角形で表面部２及び裏面部３を平坦とした板状に形成されている。この遊技盤１の表面部２には、図示しない合成樹脂製の透光性を有する装飾シートが接着剤を用いて貼着される。
【００１６】
この遊技盤１には、表面部２及び裏面部３から突出する所定高さのリブ形状の損傷防止片４を、外周縁部１ａに沿うように連続状に設けている。
なお、図１、図５に示すように、遊技盤１の表面部２の下方には、パチンコ機１０の発射装置１１から遊技領域ｒに向けて打ち込まれる遊技球を通過させる通路を設けるために切欠き５を施して損傷防止片４を設けていない。１３は外側レール、１４は内側レール、１５はアウト口である。そのアウト口１５の口縁１５ａについても、遊技球を当該アウト口１５に円滑に流入させるために損傷防止片４を設けていない。
【００１７】
なお、損傷防止片４については、本実施形態例のように連続状に設けずに、四隅部分などの所定箇所に適宜設けることもできる。また、遊技盤を積み重ねた場合において遊技盤がずれてバランスを崩すことを防止するために、損傷防止片４の四隅の内周面に肉付けを施しておくことが好ましい。
【００１８】
上述した透明性を有する遊技盤１は、背後から光を投射して装飾シートを明るく照明する電飾を施す場合には好適であるが、電飾を行なわない場合には透明にする必要はないことから不透明の合成樹脂製とすればよい。
【００１９】
つぎに、かかる構成になる遊技盤１の作用について述べる。
図４に示すように、遊技盤１を表面部２を上にして遊技機の生産ラインに設置されるローラコンベア装置２０による搬送する場合において、遊技盤１の損傷防止片４がローラ２１に接触するので、裏面部３にキズが生じることがない。勿論、表面部２を下にして搬送する場合にも、表面部２にキズを生じる虞はない。
なお、この搬送時において、損傷防止片４の表面に傷が生じたとしても、意匠性を害する部分ではないので不都合ではない。
【００２０】
以上に述べた通り、この遊技機における遊技盤は、表面部及び裏面部の外周縁部に所定高さのリブ形状の損傷防止片を設けているので、遊技盤を倉庫等に保管するときに遊技盤同士のこすれによる表面のキズの発生を防止することができる。さらに、生産ラインにおけるベルトコンベア装置等による搬送時にベルトとの接触による表面のキズの発生を防止することができる。
【図面の簡単な説明】
【００２１】
【図１】本発明にかかる遊技盤の正面図
【図２】遊技盤の側面図
【図３】遊技盤の背面図
【図４】ローラコンベア装置による遊技盤の搬送状態を示す説明図（イ）〜（ハ）
【図５】本発明にかかる遊技盤を適用したパチンコ機（前扉を省略）の正面図
【符号の説明】
【００２２】
１・・・遊技盤
１ａ・・・外周縁部
２・・・表面部
３・・・裏面部
４・・・損傷防止片
１０・・・パチンコ機（遊技機）
【図１】
2007307021.tif 000003
【図２】
2007307021.tif 000004
【図３】
2007307021.tif 000005
【図４】
2007307021.tif 000006
【図５】
2007307021.tif 000007
【手続補正書】
【提出日】平成18年5月17日(2006.5.17)
【手続補正１】
【補正対象書類名】図面
【補正対象項目名】図３
【補正方法】変更
【補正の内容】
【図３】
2007307021.tif 000008